(57)【要約】【課題】歩き易さを向上させることができる靴底材および釣用靴を提供する。【解決手段】靴底材２は、釣用靴の靴本体の底面に設けられる靴底材であって、フェルト製の靴底材本体９を備える。そして、靴底材本体９には、靴底材本体９の幅方向に延び、靴底材本体９の下面から上面に達する溝が形成されている。【選択図】図３
2008011964.tif 000002
【特許請求の範囲】
【請求項１】
釣用靴の靴本体の底面に設けられる靴底材であって、
フェルト製の靴底材本体を備え、
前記靴底材本体には、前記靴底材本体の幅方向に延び、前記靴底材本体の下面から上面に達する溝が形成されている、
靴底材。
【請求項２】
前記靴底材本体の上面に設けられ前記靴本体の底面に取り付けられる取付部材をさらに備え、
前記溝は、前記靴底材本体を幅方向に貫通するように形成されており、
前記取付部材は、前記溝によって前後に分けられた前記靴底材本体の前側部分と後側部分とに亘って設けられている、
請求項１に記載の靴底材。
【請求項３】
前記靴底材本体の上面に設けられ前記靴本体の底面に取り付けられる取付部材をさらに備え、
前記溝は、前記靴底材本体を幅方向に貫通しておらず、前記靴底材本体のうち前記溝よりも前側の前側部分と前記溝よりも後側の後側部分とが繋がるように形成されており、
前記溝は、前記靴底材本体と共に前記取付部材も厚さ方向に貫通している、
請求項１に記載の靴底材。
【請求項４】
前記靴底材本体の下面には、前記溝と前記靴底材本体の幅方向に並んで設けられ前記溝に繋がる切り込みが形成されている、
請求項１に記載の靴底材。
【請求項５】
前記溝は、前記靴底材本体の幅方向における中間部に設けられており、
前記切り込みは、前記溝の一側端から幅方向に延び前記靴底材本体の側面に達する第１切り込み部と、前記溝の他側端から幅方向に延び前記靴底材本体の側面に達する第２切り込み部とを有する、
請求項４に記載の靴底材。
【請求項６】
前記溝は、前記靴底材本体の幅方向に距離を隔てて配置された第１溝部と第２溝部とを有し、
前記切り込みは、前記第１溝部と第２溝部とを繋ぐように形成されている、
請求項４に記載の靴底材。
【請求項７】
前記靴底材本体の上面に設けられ前記靴本体の底面に取り付けられる取付部材をさらに備え、
前記溝は、前記靴底材本体と共に前記取付部材も厚さ方向に貫通しており、
前記切り込みは、前記取付部材には達していない。
請求項４から６のいずれかに記載の靴底材。
【請求項８】
前記溝の少なくとも一部は波状の形状を有する、
請求項１から７のいずれかに記載の靴底材。
【請求項９】
靴本体と、
前記靴本体の底面に設けられた請求項１から８のいずれかに記載の靴底材と、
を備える釣用靴。
【発明の詳細な説明】
【技術分野】
【０００１】
本発明は、釣用靴の靴本体の底面に設けられる靴底材、および、釣用靴に関する。
【背景技術】
【０００２】
磯釣りや渓流釣り等においては、釣人は濡れてコケの生えた岩場や水中を歩くことになる。そこで、このような滑り易い箇所でも歩きやすいように工夫された釣用靴が近年利用されている。この釣用靴は、一般的に、靴本体と、靴本体の底面に装着されたフェルト製の靴底材とを有する。フェルト製の靴底材は、合繊繊維フェルトを靴底形状に加工したものであり、靴本体に接着され或いは面ファスナーなどで脱着自在に装着される。このように靴底に装着されるフェルト製の靴底材が、濡れた釣船の甲板や濡れた苔の生えた岩場など滑りやすい環境においても十分な滑り止め効果を奏し、釣人は安全に歩行することが可能となる。
【０００３】
ところで、このようなフェルト製の靴底材は、滑り止め効果に優れる一方で屈曲性が低く、歩き易さを損なう恐れがある。そこで、靴底材の底面に横方向に延びる溝を設けることによって、屈曲性を向上させた靴底材が案出されている（特許文献１参照）。
【特許文献１】特開２００２−２３８６１４号公報
【発明の開示】
【発明が解決しようとする課題】
【０００４】
しかし、上記の靴底材では、下に凸になる方向への屈曲性に優れるが、溝が浅いため、上に凸になる方向への屈曲性は十分とは言えない。釣人が岩場や水中を歩く場合、石の上に載った靴底材が石を抱くように、すなわち、上に凸に湾曲することが歩き易さのために望ましいが、上記のようなフェルト製の靴底材は上に凸に湾曲し難いため、歩き易さを損なう恐れがある。
【０００５】
本発明の課題は、歩き易さを向上させることができる靴底材および釣用靴を提供することにある。
【課題を解決するための手段】
【０００６】
第１発明に係る靴底材は、釣用靴の靴本体の底面に設けられる靴底材であって、フェルト製の靴底材本体を備える。そして、靴底材本体には、靴底材本体の幅方向に延び、靴底材本体の下面から上面に達する溝が形成されている。
【０００７】
この靴底材では、靴底材本体に幅方向に延びる溝が設けられており、さらに、その溝が靴底材本体の下面から上面に達している。このため、靴底材本体の上に凸になる方向への屈曲性を向上させることができる。これにより、この靴底材では、歩き易さを向上させることができる。
【０００８】
第２発明に係る靴底材は、第１発明の靴底材であって、靴底材本体の上面に設けられ靴本体の底面に取り付けられる取付部材をさらに備える。また、溝は、靴底材本体を幅方向に貫通するように形成されている。そして、取付部材は、溝によって前後に分けられた靴底材本体の前側部分と後側部分とに亘って設けられる。
【０００９】
この靴底材では、溝が靴底材本体を幅方向に貫通しているため、靴底材本体の上に凸になる方向への屈曲性をより向上させることができる。また、溝が靴底材本体を幅方向に貫通するように形成されると、靴底材本体が前側部分と後側部分とに前後に分けられるが、この靴底材では、取付部材によって前側部分と後側部分とが繋げられている。このため、前側部分と後側部分とを一体的に取り扱うことができ、靴本体への取付や取り外し等が容易である。
【００１０】
第３発明に係る靴底材は、第１発明の靴底材であって、靴底材本体の上面に設けられ靴本体の底面に取り付けられる取付部材をさらに備える。また、溝は、靴底材本体を幅方向に貫通しておらず、靴底材本体のうち溝よりも前側の前側部分と溝よりも後側の後側部分とが繋がるように形成されている。そして、溝は、靴底材本体と共に取付部材も厚さ方向に貫通している。
【００１１】
この靴底材では、溝が、靴底材本体と共に取付部材も厚さ方向に貫通している。このため、靴底材本体に取付部材が取り付けられた状態で加工することによって、溝を容易に形成することができる。また、この靴底材では、靴底材本体のうち溝よりも前側の前側部分と溝よりも後側の後側部分とが繋がっているため、溝が、靴底材本体と共に取付部材も厚さ方向に貫通していても、前側部分と後側部分とが分離せず一体的に取り扱うことができる。
【００１２】
第４発明に係る靴底材は、第１発明の靴底材であって、靴底材本体の下面には、溝と靴底材本体の幅方向に並んで設けられ溝に繋がる切り込みが形成されている。
【００１３】
この靴底材では、溝と切り込みとが靴底材本体の幅方向に並んで設けられており、且つ、溝と切り込みとが繋がっている。このため、下に凸になる方向と上に凸になる方向との両方向への屈曲性を向上させることができる。
【００１４】
第５発明に係る靴底材は、第４発明の靴底材であって、溝は、靴底材本体の幅方向における中間部に設けられている。また、切り込みは、溝の一側端から幅方向に延び靴底材本体の側面に達する第１切り込み部と、溝の他側端から幅方向に延び靴底材本体の側面に達する第２切り込み部とを有する。
【００１５】
この靴底材では、靴底材本体の中間部に形成された溝によって上に凸になる方向への屈曲性を向上させることができると共に、溝の両側端から靴底材本体の側面に達する第１切り込み部と第２切り込み部とによって下に凸になる方向への屈曲性を向上させることができる。
【００１６】
第６発明に係る靴底材は、第４発明の靴底材であって、溝は、靴底材本体の幅方向に距離を隔てて配置された第１溝部と第２溝部とを有する。そして、切り込みは、第１溝部と第２溝部とを繋ぐように形成されている。
【００１７】
この靴底材では、靴底材本体の幅方向に距離を隔てて配置された第１溝部と第２溝部とによって上に凸になる方向への屈曲性を向上させることができると共に、第１溝部と第２溝部とを繋ぐ切り込みによって下に凸になる方向への屈曲性を向上させることができる。
【００１８】
第７発明に係る靴底材は、第４発明から第６発明のいずれかの靴底材であって、靴底材本体の上面に設けられ靴本体の底面に取り付けられる取付部材をさらに備える。そして、溝は、靴底材本体と共に取付部材も厚さ方向に貫通している。また、切り込みは、取付部材には達していない。
【００１９】
この靴底材では、溝が靴底材本体と共に取付部材も厚さ方向に貫通しているが、切り込みが取付部材に達していない。このため、靴底材本体が分離されず取付部材によって一体にされており、靴本体への取付や取り外し等が容易である。
【００２０】
第８発明に係る靴底材は、第１発明から第７発明のいずれかの靴底材であって、溝の少なくとも一部は波状の形状を有する。
【００２１】
この靴底材では、溝の少なくとも一部が波状の形状であることにより、様々な方向への屈曲性を向上させることができる。
【００２２】
第９発明に係る釣用靴は、靴本体と、靴本体の底面に設けられた請求項１から８のいずれかに記載の靴底材とを備える。
【００２３】
この釣用靴では、靴底材の靴底材本体に幅方向に延びる溝が設けられており、さらに、その溝が靴底材本体の下面から上面に達している。このため、靴底材本体の上に凸になる方向への屈曲性を向上させることができる。これにより、この釣用靴では、歩き易さを向上させることができる。
【発明の効果】
【００２４】
本発明に係る靴底材では、靴底材本体に幅方向に延びる溝が設けられており、さらに、その溝が靴底材本体の下面から上面に達している。このため、靴底材本体の上に凸になる方向への屈曲性を向上させることができる。これにより、この靴底材では、歩き易さを向上させることができる。
【発明を実施するための最良の形態】
【００２５】
＜第１実施形態＞
本発明の第１実施形態に係る釣用靴１を図１に示す。この釣用靴１は、後述の靴底材２を備えることによって、釣り場の歩行における高い滑止効果が発揮されるようになっており、川釣り等において釣人が釣り場を安全に歩行等することができるようにするものである。なお、釣人は、左右対称に形成された一対の釣用靴１を着用するが、説明の簡略化のために、以下では、一方の釣用靴１の構成について説明する。
【００２６】
〔釣用靴１の構成〕
釣用靴１は、靴本体３と、靴本体３の底面に設けられた靴底材２とを備えている。
【００２７】
靴本体３は、使用者である釣人の足が挿入され足を包み込む部分であり、靴本体３の外表面を構成する表面層４と、足が挿入される内部空間の内面を構成する内布層（図示せず）と、靴本体３の底部を構成するミッドソール部５とを有する。
【００２８】
表面層４は、靴本体３の骨格を形成しており、その内側に内布層が形成されている。表面層４としては、例えば、天然ゴム（ＮＲ）、ポリ塩化ビニル（ＰＶＣ）その他合成ゴム等が採用される。また、内布層は、ナイロンその他ポリエステルにより構成される。
【００２９】
なお、靴本体３の先端部（爪先側）や後端部（踵側）を被うように補強ゴム部６，７が形成されており、当該部分を補強している。補強ゴム部６，７としては、例えば、天然ゴム（ＮＲ）、ポリ塩化ビニル（ＰＶＣ）その他合成ゴム等が採用される。
【００３０】
ミッドソール部５は、上述したように靴本体３の底部を構成しており、その底面には、靴底材２が装着されるための凹部が形成されている。
【００３１】
靴底材２は、靴本体３の底面に着脱自在に取り付けられる。靴底材２は、図２および図３に示すように、板状に形成されており、靴本体３の底面に対応した外形を有している。なお、図２は、靴底材２を斜め上方からみた斜視図であり、図３は、靴底材２を下方からみた下面図である。なお、靴底材２の厚さ寸法は、本実施形態では１５ｍｍに設定されている。ただし、この厚さ寸法は、８．０ｍｍ〜２０．０ｍｍの範囲で適宜設定され得る。靴底材２は、靴底材本体９と、取付部材１１とを備えている。
【００３２】
靴底材本体９は、フェルトを主成分として構成されている。つまり、靴底材本体９は、繊維が立体的に且つ方向の規則性なく集合されることによって構成されている。この繊維の種類は、例えばナイロンその他ポリエステル等の合成繊維のほか、やしがら繊維や麻等の天然繊維が採用され得る。
【００３３】
取付部材１１は、靴底材本体９の上面に設けられている。取付部材１１は、シート状の部材であって、靴底材本体９の上面の概ね全体を覆っている。取付部材１１は、例えば、ナイロンその他ポリエステル等の合成繊維を含む不織布からなり、靴底材２をミッドソール部５の底面に着脱自在に取り付けるための部材である。本実施形態では、この取付部材１１とミッドソール部５の底面との間に面ファスナー機構が構成されている。これにより、靴底材２は、一定の保持力でミッドソール部５に着脱自在に保持される。なお、取付部材１１は面ファスナー層とＥＶＡ層とを有しており、ＥＶＡ層は面ファスナー層と靴底材本体９との間に設けられている。
【００３４】
また、この靴底材２では、靴底材本体９に、靴底材本体９の幅方向に延び、靴底材本体９の下面から上面に達する溝１２が形成されている。溝１２は、靴底材本体９の幅方向における中間部が波形の形状となっており、その両端部は、靴底材本体９の幅方向に真っ直ぐに延びた形状となっている。また、溝１２は、靴底材本体９を幅方向に貫通するように形成されており、溝１２の両端部は、靴底材本体９の側面に到達している。また、溝１２は、靴底材２が屈曲していない平常状態において溝１２の前側端部１２ａと後側端部１２ｂとが接触しない程度の前後方向の開き幅Ｄ１を有している。靴底材本体９は、溝１２を間に挟んで前側部分９ａと後側部分９ｂとに分けられているが、前側部分９ａと後側部分９ｂとに亘って設けられた取付部材１１によって一体化されている。
【００３５】
〔特徴〕
この釣用靴１では、靴底材本体９に溝１２が設けられることによって、屈曲性が向上している。特に、靴底材２が上に凸に湾曲する場合であっても、溝１２によって靴底材２が湾曲し易くなっている。このため、岩場などの石等の上に乗った場合でも、靴底材２が石の形状に沿って石を抱くように湾曲し易くなっている。また、溝１２の中間部が波状の形状になっているため、様々な方向への屈曲性も向上している。これにより、釣用靴１は、滑り難く且つ歩き易くなっている。
【００３６】
また、溝１２が靴底材本体９を前後に分割することによって靴底材２の屈曲性がより向上しているが、靴底材本体９の前側部分９ａと後側部分９ｂとは、取付部材１１によって繋げられている。このため、靴底材２を靴本体３のミッドソール部５に取り付けたり、取り外したりする際には、前側部分９ａと後側部分９ｂとを一体的に取り扱うことができ、作業が容易である。
【００３７】
＜第２実施形態＞
〔構成〕
本発明の第２実施形態に係る釣用靴が備える靴底材１３を図４および図５に示す。図４は、靴底材１３を斜め上方から見た斜視図であり、図５は、靴底材１３を下方から見た底面図である。なお、靴本体は上記の第１実施形態の靴本体３の構成と同様であるため説明を省略する。
【００３８】
この靴底材１３には、靴底材本体１５の幅方向に延びる溝１４が設けられている。溝１４は、波形の形状を有している。この溝１４は、靴底材本体１５を幅方向に貫通しておらず、靴底材本体１５のうち溝１４よりも前側の前側部分と溝１４よりも後側の後側部分とが繋がるように形成されている。また、図４に示すように、この溝１４は、靴底材本体１５と共に取付部材１６も厚さ方向に貫通しており、靴底材１３を下面から上面まで貫通している。
【００３９】
靴底材１３の他の構成については第１実施形態の靴底材２と同様である。
【００４０】
〔特徴〕
この釣用靴が備える靴底材１３では、第１実施形態に係る靴底材２と同様に、岩場などの石等の上に乗った場合でも、靴底材１３が石の形状に沿って石を抱くように湾曲し易くなっている。
【００４１】
また、溝１４は、靴底材本体１５と取付部材１６とを厚さ方向に貫通するように形成されているため、靴底材本体１５に取付部材１６が取り付けられた状態で、靴底材本体１５と取付部材１６とを一緒に工具によって打ち抜くことによって、容易に溝１４を穿つことができる。
【００４２】
また、溝１４が靴底材本体１５と取付部材１６とを共に貫通するように設けられても、靴底材本体１５は溝１４の両側方において繋がっているため、靴底材本体１５は溝１４によって分離されておらず、一体的に取り扱うことができる。
【００４３】
＜第３実施形態＞
〔構成〕
本発明の第３実施形態に係る釣用靴が備える靴底材２１を図６および図７に示す。図６は、靴底材２１を下方から見た底面図である。また、図７（ａ）は靴底材２１の側面図であり、図７（ｂ）は図６におけるＡ−Ａ断面図である。なお、この靴底材２１が取り付けられる靴本体は、上記の第１実施形態の靴本体３と同様の構成であるため説明を省略する。
【００４４】
この靴底材２１では、靴底材本体２２の幅方向における中間部に波状の溝２３ａが設けられている。図７（ｂ）に示すように、この溝２３ａは、第２実施形態の溝１４と同様に、靴底材本体２２と共に靴底材本体２２の上面に設けられた取付部材２４を厚さ方向に貫通している。なお、取付部材２４は、面ファスナー層２５と、靴底材本体２２と面ファスナー層２５との間に設けられたＥＶＡ層２６とを有しているが、溝２３ａは、ＥＶＡ層２６と面ファスナー層２５との両方を貫通しており、靴底材２１全体を厚さ方向に貫通している。
【００４５】
また、図６に示すように、この靴底材２１では、溝２３ａと靴底材本体２２の幅方向に並んで設けられ溝２３ａに繋がる切り込み２７ａが靴底材本体２２の下面に形成されている。この切り込み２７ａは、溝２３ａの一側端から幅方向に延び靴底材本体２２の側面に達する第１切り込み部２８ａと、溝２３ａの他側端から幅方向に延び靴底材本体２２の側面に達する第２切り込み部２９ａとを有する。この切り込み２７ａは、図７（ａ）に示すように、靴底材本体２２の下面から上面近傍までに亘って形成されており、その上端は取付部材２４には達していない。
【００４６】
なお、この靴底材２１では、上記のような溝２３ａと同様の溝２３ｂと、切り込み２７ａと同様の切り込み２７ｂとが、溝２３ａおよび切り込み２７ａと前後方向に並んで設けられている。なお、切り込み２７ｂは、切り込み２７ａと同様の形状であり、第１切り込み部２８ｂと第２切り込み部２９ｂとを有している。
【００４７】
他の構成については第１実施形態の靴底材２と同様である。
【００４８】
〔特徴〕
この靴底材２１では、溝２３ａと切り込み２７ａとが形成されているため、上に凸になる方向だけではなく下に凸になる方向への屈曲性も向上している。
【００４９】
また、溝２３ａは靴底材２１全体を厚さ方向に貫通しているが、切り込み２７ａは、取付部材２４には達しておらず靴底材２１全体を厚さ方向に貫通していない。このため、靴底材２１が分離することが防止されている。これにより、靴底材２１を一体的に取り扱うことができ、靴本体への取付や取り外しが容易である。
【００５０】
なお、溝および切り込みの数は、上記のものに限られず、より多くのまたは少ない溝および切り込みが設けられてもよい。
【００５１】
＜第４実施形態＞
〔構成〕
本発明の第４実施形態に係る釣用靴が備える靴底材３１を図８および図９に示す。図８は、靴底材３１を下方から見た底面図である。また、図９（ａ）は靴底材３１の側面図であり、図９（ｂ）は図８におけるＢ−Ｂ断面図である。なお、この靴底材３１が取り付けられる靴本体は、上記の第１実施形態の靴本体３と同様の構成であるため説明を省略する。
【００５２】
この靴底材３１では、靴底材本体３２の中間部を残して幅方向の他の部分に溝３３ａが設けられており、この溝３３ａは、靴底材本体３２の幅方向に距離を隔てて配置された第１溝部３４ａと第２溝部３５ａとを有している。第１溝部３４ａは、第１実施形態の溝１２と同様に、靴底材本体３２を厚さ方向に貫通しているが、取付部材３７は貫通していない。第２溝部３５ａも同様である。なお、取付部材３７は、面ファスナー層３８と、靴底材本体３２と面ファスナー層３８との間に設けられたＥＶＡ層３９とを有しているが、溝２３ａは、ＥＶＡ層３９と面ファスナー層３８との両方を貫通しており、靴底材３１全体を厚さ方向に貫通している。また、第１溝部３４ａの外側端部は、靴底材本体３２の側面に達しており、第２溝部３５ａの外側端部も、靴底材本体３２の側面に達している。
【００５３】
また、この靴底材３１では、溝３３ａと靴底材本体３２の幅方向に並んで設けられ溝３３ａに繋がる切り込み３６ａが靴底材本体３２の下面に形成されている。この切り込み３６ａは、第１溝部３４ａと第２溝部３５ａとを繋ぐように形成されている。また、切り込み３６ａは、靴底材本体３２の下面から上面近傍までに亘って形成されており、その上端は取付部材３７には達していない。また、切り込み３６ａは、靴底材本体３２の幅方向に対して傾斜して設けられており、第１溝部３４ａの一部および第２溝部３５ａの一部と共に波状の形状を構成している。
【００５４】
なお、この靴底材３１では、上記のような溝３３ａと同様の溝３３ｂと、切り込み３６ａと同様の切り込み３６ｂとが、溝３３ａおよび切り込み３６ａと前後方向に並んで設けられている。また、溝３３ｂは、溝３３ａと同様の形状であり、第１溝部３４ｂと第２溝部３５ｂとを有している。
【００５５】
他の構成については第１実施形態の靴底材２と同様である。
【００５６】
〔特徴〕
この靴底材３１では、溝３３ａと切り込み３６ａとが形成されているため、上に凸になる方向だけではなく下に凸になる方向への屈曲性も向上している。また、第１溝部３４ａの外側端部と、第２溝部３５ａの外側端部とが、靴底材本体３２の側面に達しているため、屈曲性がさらに向上している。
【００５７】
なお、溝および切り込みの数は、上記のものに限られず、より多くのまたは少ない溝および切り込みが設けられてもよい。
【００５８】
＜他の実施形態＞
（ａ）
上記の実施形態では、溝１２，１４，２３ａ，３３ａは波形の形状であるが、幅方向に真っ直ぐ延びる直線状の形状の溝が形成されてもよい。
【００５９】
（ｂ）
第３実施形態において、切り込み２７ａ，２７ｂは幅方向に平行な直線状の形状であるが、幅方向に対して傾斜した形状や波状の形状であってもよい。
【００６０】
（ｃ）
第４実施形態において、切り込み３６ａ，３６ｂは幅方向に対して傾斜しているが、幅方向に平行な切り込みが形成されてもよい。
【産業上の利用可能性】
【００６１】
本発明は、歩き易さを向上させることができる効果を有し、靴底材および釣用靴として有用である。
【図面の簡単な説明】
【００６２】
【図１】釣用靴の外観斜視図。
【図２】第１実施形態に係る靴底材の斜視図。
【図３】第１実施形態に係る靴底材の下面図。
【図４】第２実施形態に係る靴底材の斜視図。
【図５】第２実施形態に係る靴底材の下面図。
【図６】第３実施形態に係る靴底材の下面図。
【図７】第３実施形態に係る靴底材の側面図および側面断面図。
【図８】第４実施形態に係る靴底材の下面図。
【図９】第４実施形態に係る靴底材の側面図および側面断面図。
【符号の説明】
【００６３】
１                    釣用靴
２，１３，２１，３１  靴底材
３                    靴本体
９，１５，１７，２１，２２，３２  靴底材本体
１１，１６，２４，３７  取付部材
１２，１４，１８〜２０，２２，２３ａ，２３ｂ，３３ａ，３３ｂ  溝
２７ａ，２７ｂ，３６ａ，３６ｂ    切り込み
【図１】
2008011964.tif 000003
【図２】
2008011964.tif 000004
【図３】
2008011964.tif 000005
【図４】
2008011964.tif 000006
【図５】
2008011964.tif 000007
【図６】
2008011964.tif 000008
【図７】
2008011964.tif 000009
【図８】
2008011964.tif 000010
【図９】
2008011964.tif 000011